(57)【特許請求の範囲】
【請求項１】
写真フイルムを長手方向に送るフイルムキャリアにおいて、
前記写真フイルムの種類に応じて、ガイド幅が変更自在なフイルムガイドを備え、
前記フイルムガイドを固定ガイドと可動ガイドとから構成し、前記固定ガイドにより写真フイルムの一方の側縁を案内し、前記可動ガイドにより写真フイルムの他方の側縁を案内し、
前記可動ガイドを、回転変移に応じて回転中心からガイド面までの距離が変化する回転変移ガイド部材から構成したことを特徴とするフイルムキャリア。
【請求項２】
前記写真フイルムの種別を入力する入力手段と、この入力手段で入力された写真フイルムの種別情報に基づき可動ガイドを写真フイルムに対応した位置にセットする可動ガイドセット手段とを備え、
前記入力手段を、フイルム挿入口にセットされ、写真フイルムの幅に応じてフイルム種別を判定するフイルム種別センサから構成したことを特徴とする請求項１記載のフイルムキャリア。
【発明の詳細な説明】
【０００１】
【発明の属する技術分野】
本発明は、写真フイルムを搬送するフイルムキャリアに関する。
【０００２】
【従来の技術】
写真フイルムに記録された各コマの画像をＣＣＤ等の読取センサによって光電的に読み取り、得られたデジタル画像データに対し拡大縮小や各種補正等の画像処理を行い、このデジタル画像データに基づき変調したレーザ光により記録材料へ画像を形成するデジタルプリントシステムが実用化されている。
【０００３】
このようにＣＣＤ等の読取センサにより各コマの画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、決定した読取条件でコマ画像を再度読み取っている（いわゆるファインスキャン）。
【０００４】
ところで、近年、従来から存在する１３５サイズのフイルム（以下、１３５フイルムという）の他に、磁気記録層が設けられたＩＸ２４０規格を満たす写真フイルム（以下、ＩＸ２４０フイルムという）が発売され、需要も伸びている。
【０００５】
１３５フイルムとＩＸ２４０フイルムとは、幅寸法が３５mm，２４mmと異なるため、前記スキャニング（プレスキャン、ファインスキャン）時にフイルムを精度良く定速搬送させるためには、各フイルム専用のフイルムキャリアを別々に設けなければならない。このため、フイルム種別を変更する毎に、フイルムキャリア自体を作業台に設置し直す必要があり、作業効率が低下するという問題がある。
【０００６】
これに対して、特開平１０−３３９９１６号公報では、１３５フイルムとＩＸ２４０フイルムの搬送路を平行に配置し、搬送路をスライド移動させて切り換えることにより、交換作業を不要にして改善を図っている。
【０００７】
また、特開平１０−３１２０３２号公報では、１３５フイルムとＩＸ２４０フイルムの搬送路を上下に配置し、読取部のみ同一搬送路とした兼用キャリアにより、同様に交換作業を不要して改善を図っている。
【０００８】
【発明が解決しようとする課題】
ところで、上記の兼用キャリアにおいては、いずれにしても１３５フイルムとＩＸ２４０フイルムそれぞれに、別々の搬送路やその駆動系を備えなければならない。このため、部品点数が増加する他に、フイルムキャリアが大型化するという問題がある。
【０００９】
本発明は上記課題を解決するためのものであり、種類の異なるフイルムに対して同一搬送路を用いることができ、装置の小型化・軽量化が図れるようにしたフイルムキャリアを提供することを目的とする。
【００１０】
【課題を解決するための手段】
上記目的を達成するため、本発明のフイルムキャリアでは、写真フイルムの種類に応じて、ガイド幅が変更自在なフイルムガイドを備えている。これにより、複数の写真フイルムの搬送において、フイルム搬送路を共有することができ、この分だけ装置構成が簡単になる。また、小型化が図れる。
【００１１】
また、本発明のフイルムキャリアでは、フイルムガイドを固定ガイドと可動ガイドとから構成し、前記固定ガイドにより写真フイルムの一方の側縁を案内し、前記可動ガイドにより写真フイルムの他方の側縁を案内している。一方が固定され、他方のみが可動するため、構成が簡単になり、しかも小型化が図れる。
【００１４】
また、本発明のフイルムキャリアでは、可動ガイドを、回転変移に応じて回転中心からガイド面までの距離が変化する回転変移ガイド部材から構成している。これにより、可動ガイドの構成が簡単になるとともに、多様な幅を有する写真フイルムに容易に対応することができる。
【００１８】
本発明のフイルムキャリアでは、写真フイルムの種別を入力する入力手段と、この入力手段で入力された写真フイルムの種別情報に基づき可動ガイドを写真フイルムに対応した位置にセットする可動ガイドセット手段とを備えている。これにより、写真フイルムの種別に応じて可動ガイドが自動的にセットされる。
【００２０】
本発明のフイルムキャリアでは、入力手段は、フイルム挿入口にセットされ、写真フイルムの幅に応じてフイルム種別を判定するフイルム種別センサを備えている。これにより、フイルムを挿入口にセットすると、可動ガイド等がフイルム種別に応じて自動的に位置決めされるようになる。
【００２４】
【発明の実施の形態】
（システム全体の概略構成）
まず、本発明が実施されるデジタルラボシステムについて説明する。図２には本実施形態に係るデジタルラボシステム１０の概略構成が示されている。デジタルラボシステム１０は、ラインＣＣＤスキャナ１１、画像処理部１２からなる入力装置１３と、レーザプリンタ部１５及びプロセサ部１６からなる出力装置１７とを含んで構成されている。
【００２５】
ラインＣＣＤスキャナ１１はフイルムキャリア１８を備えている。フイルムキャリア１８は写真フイルム２０を搬送し、この搬送中に写真フイルム２０に記録されている画像をラインＣＣＤで読み取る。読取対象の写真フイルム２０は、例えば、１３５フイルム２０ａ、ＩＸ２４０フイルム２０ｂの他に、１１０サイズ、１２０や２２０サイズ（ブローニサイズ）等の各種写真フイルムであり、ネガフイルムの他にリバーサルフイルムも読み取ることができる。
【００２６】
画像処理部１２は、読み取った画像情報に対して各種の補正等の画像処理を行い、記録用画像データとしてレーザプリンタ部１５に出力する。また、画像処理部１２は、画像処理済みの画像データを画像ファイルとして外部装置１９に出力する。例えば、メモリカードやＣＤＲＯＭ等の記録媒体１９ａに出力したり、通信回線を介して他の情報処理機器１９ｂに送信したりする。
【００２７】
レーザプリンタ部１５は、Ｒ、Ｇ、Ｂのレーザ光源及び変調部を備えている。そして、変調部により記録用画像データに基づきレーザ光源からの各レーザを変調し、この変調したレーザにより印画紙を走査露光して、画像を印画紙に記録する。プロセサ部１６は、走査露光済みの印画紙に対して発色現像、漂白定着、水洗、乾燥の各処理を行い、現像処理する。
【００２８】
（ラインＣＣＤスキャナの構成）
図３は、ラインＣＣＤスキャナ１１の光学系の概略構成を示している。この光学系は、メタルハライドランプやハロゲンランプ、ＬＥＤ等からなる光源２１を備えている。光源２１はリフレクタ２２にその焦点位置で配置されている。リフレクタ２２は赤外光（ＩＲ）を透過する材料により構成されており、その反射面が放物面状に形成されている。光源２１からの光はリフレクタ２２により反射され、写真フイルム２０に向けて照射される。
【００２９】
光源２１の光射出側には、ＩＲカットフィルタ２４、光量調整絞り板２５、バランスフィルタ２６、光拡散ボックス２７、拡散板２７ａが光軸Ｌに沿って順に配置されている。光量調整絞り板２５は光軸Ｌへの挿入位置が可変とされており、これにより光量が調整される。また、バランスフィルタ２６は色温度調整のために、ネガフイルム用フィルタ２６ａとリバーサルフイルム用フィルタ２６ｂとが設けられており、これらのひとつが選択的に光軸Ｌに挿入される。
【００３０】
写真フイルム２０は、後に詳しく説明するフイルムキャリア１８によって、画像記録面が光軸Ｌと垂直になるように搬送される。
【００３１】
写真フイルム２０を挟んで光源２１と反対側には、光軸Ｌに沿ってレンズユニット２８及びラインＣＣＤ２９が順に配置されている。レンズユニット２８は、写真フイルム２０に記録された画像をラインＣＣＤ２９の受光面に結像させる。図３ではレンズユニット２８は単一のレンズのみを示しているが、このレンズユニット２８は複数枚のズームレンズなどであってもよい。
【００３２】
ラインＣＣＤ２９は、Ｒ、Ｇ、ＢのＣＣＤセル列を写真フイルム２０の送り方向（図３の矢印Ａ方向）に並べて構成されている。各ＣＣＤセル列は、ＣＣＤセルを写真フイルムの幅方向にライン状に並べて構成されている。これにより、ＣＣＤセルの配列方向にフイルム画像の読み取りの主走査がなされる。また、写真フイルム２０が送られることによりフイルム画像読み取りの副走査がなされる。なお、ラインＣＣＤ２９は、３本のＣＣＤセル列が写真フイルム２０の送り方向に沿って所定のピッチで順に配置されているので、同一の画素におけるＲ、Ｇ、Ｂの各成分色の検出タイミングには時間差が生じる。このため、本実施形態では、各成分色毎に異なる遅延時間で測光信号の検出タイミングを遅延しており、これにより同一の画素のＲ、Ｇ、Ｂの測光信号がラインＣＣＤから同時に出力される。
【００３３】
（フイルムキャリアの構成）
図１は、本発明を実施した１３５フイルムとＩＸ２４０フイルムとの兼用型のフイルムキャリア１８の概略構成を示している。また、図４は１３５フイルム用にセットされた状態を、図５はＩＸ２４０フイルム用にセットされた状態を示した概略平面図である。
【００３４】
図１に示すように、フイルムキャリア１８は、ベース３０とカバー３１とから構成されており、これらの間にフイルム通路３２が形成されている。カバー３１はベース３０に開閉可能に取り付けられており、カバー３１を上方に開くことで、ベース３０上のフイルム通路３２を開放することができる。
【００３５】
フイルム通路３２には、フイルム挿入口３３から順に、フイルム先端センサ３４、第１フイルム搬送ローラ対３５、ごみ取りローラ対３６、磁気ヘッド３７，３８、パーフォレーションセンサ３９、第２ローラ対４０、画像読取部４１、第３ローラ対４２、フイルム貯留ガイド４３が配置されている。
【００３６】
図４，図５に示すように、フイルム通路３２の両側にはフイルムガイド４５が設けられている。フイルムガイド４５は、固定ガイド４５ａと、可動ガイド４５ｂとから構成されている。図６に示すように、これらガイド４５ａ，４５ｂは断面がコ字形に構成されており、フイルム通過溝４６が形成されている。フイルム通過溝４６には、例えば１３５フイルム２０ａの両側縁部が入りこみ、これにより案内されてフイルム送りが行われる。なお、各ガイド４５ａ，４５ｂは断面をＬ字形に構成してもよい。
【００３７】
図６に示すように、固定ガイド４５ａはベース３０に固定されている。可動ガイド４５ｂは、写真フイルム２０の幅方向でガイド部材４７により移動自在に取り付けられている。また、可動ガイド４５ｂにはガイドシフト機構４８が取り付けられている。ガイド部材４７は本実施形態ではガイド突条を用いているが、これに限定されることなく、例えばガイド棒やガイド溝などを用いてもよい。
【００３８】
ガイドシフト機構４８は、送りねじ棒５０と、これに螺合する雌ねじ部５１と、ガイドシフトモータ５２とから構成されている。雌ねじ部５１はブラケット５３に形成されている。ブラケット５３は、可動ガイド４５ｂの下部に突出して形成されている。そして、ガイドシフトモータ５２により、送りねじ棒５０を回動することにより、雌ねじ部５１を介して可動ガイド４５ｂがフイルム幅方向に移動する。このガイドシフトモータ５２を回転制御することで、可動ガイド４５ｂを任意位置に停止することができる。
【００３９】
前記ガイドシフトモータ５２はパルスモータから構成されており、後に説明するコントローラ５８により回転制御される。本実施形態では、１３５フイルム２０ａとＩＸ２４０フイルム２０ｂの２種類を搬送するため、一方のストロークエンド近くが１３５フイルムのガイド位置にされ、他方のストロークエンド近くがＩＸ２４０フイルムのガイド位置にされている。これらの各ガイド位置は、各フイルム幅毎に駆動パルス数を設定することにより調整される。駆動パルス数として、標準値と補正値とを設定し、補正値は各機器毎に調整するので、機差の影響をなくして、最適にフイルム搬送路幅を微調整することができる。微調整後の駆動パルス数は、各ガイド位置と対応付けられてメモリに記憶される。
【００４０】
前記固定ガイド４５ａ、可動ガイド４５ｂは、それぞれ一体に構成されている。そして、各ローラ対３５，３６，４０，４２や磁気ヘッド３７，３８等が位置する部分は切欠き（図示せず）が形成してあり、この部分にこれらローラ等が配置される。なお、固定ガイド４５ａや可動ガイド４５ｂは、各ローラ等が位置するところで、分断して構成してもよい。この場合には、分断した可動ガイドを連結部材で連結し、これらをガイドシフト機構４８でシフトさせることで、固定ガイド４５ａと可動ガイド４５ｂとのガイド幅を各写真フイルム２０ａ，２０ｂの幅に合わせる。
【００４１】
図１に示すように、フイルム先端センサ３４は、写真フイルム２０の先端の挿入を検知する。この検知信号はコントローラ５８に送られる。コントローラ５８は、フイルム先端検知信号に基づきドライバ５７ａを介してフイルム送りモータ５７を正転する。フイルム送りモータ５７の回転は、図示しないタイミングベルトやプーリを介して各搬送ローラ対３５，４０，４２に伝達される。これにより、写真フイルム２０がフイルムキャリア１８内に引き込まれるように送られる。また、送られた写真フイルム２０は、フイルム貯留ガイド４３内で巻かれた状態で収納される。
【００４２】
図７，図８に示すように、フイルム搬送ローラ対３５はベース側に配置される駆動ローラ６０と、カバー側に配置される押さえローラ６１とから構成されている。これら各ローラ６０，６１は、ローラ幅が可変になるように構成されている。すなわち、駆動ローラ６０についていえば、固定ガイド４５ａ側に配置される固定ローラ本体６０ａと、可動ガイド４５ｂ側に配置される可動ローラ本体６０ｂとから構成されている。同様にして、押さえローラ６１も、固定ローラ本体６１ａと可動ローラ本体６１ｂとから構成されている。
【００４３】
各固定ローラ本体６０ａ，６１ａは取付軸６０ｃ，６１ｃに固定されており、固定ガイド４５ａ側のフイルム側縁部に接触してこれを送る。可動ローラ本体６０ｂ，６１ｂは取付軸６０ｃ，６１ｃに軸方向で移動自在に且つ回動不能に取り付けられている。このように可動ローラ本体６０ｂ，６１ｂを取付軸６０ｃ，６１ｃに取り付けるものとしては、キーとキー溝による方法や、スプライン軸を用いる方法などがある。
【００４４】
各可動ローラ本体６０ｂ，６１ｂはコイルバネ６２により固定ローラ本体６０ａ，６１ａから離れる方向に付勢されている。また、可動ローラ本体６０ｂ，６１ｂはスラスト軸受６３等を介して可動ガイド４５ｂのブラケット５９に接触している。したがって、図７に示すように、１３５フイルム２０ａを通過させるときには、１３５フイルム２０ａの両側縁部に対応した位置で各ローラ本体６０ａ，６１ａ，６０ｂ，６１ｂが位置決めされる。また、図８に示すように、ＩＸ２４０フイルム２０ｂを通過させるときには、可動ガイド４５ｂがこのフイルム幅に対応した位置にセットされるため、これと連動する可動ローラ本体６０ｂ，６１ｂもＩＸ２４０フイルム２０ｂの一方の側縁部に対応した位置にされる。
【００４５】
第２及び第３搬送ローラ対４０，４２も第１搬送ローラ対３５と同様に構成されている。また、図１に示すように、第２及び第３搬送ローラ対４０，４２には、ローラシフト機構６４，６５が設けられている。ローラシフト機構６４，６５は、各押さえローラを昇降させて、下降したニップ位置と上方に退避した退避位置との間で変移させる。そして、第２及び第３ローラ対４０，４２を選択的にニップ状態にし、フイルム送りを行う。写真フイルム２０をフイルムキャリア１８内に引き込むＡ方向送りでは、第３送りローラ対４２がニップ状態になる。また、写真フイルム２０をＡ方向とは反対向きのＢ方向に送るときには、第２送りローラ対４０がニップ状態になる。
【００４６】
ゴミ取りローラ対３６は、写真フイルム２０に接触して、これの両面に付着したゴミを取り除く。ゴミ取りローラ対３６は、１３５フイルム２０ａの幅に対応して形成されており、１３５フイルム２０ａとＩＸ２４０フイルム２０ｂの両方のゴミを取ることができる。
【００４７】
磁気ヘッド３７，３８は、読み取り用と書き込み用とが設けられており、且つこれらは、ＩＸ２４０フイルム２０ｂの磁気記録トラックに対応した位置で、フイルム幅方向の両端部付近に設けられている。この磁気ヘッド３７，３８は、ヘッドシフト機構６６により、写真フイルム２０に接触して読み書きを行う接触位置と、フイルム通路３２から上方に退避した位置との間で変移する。そして、ＩＸ２４０フイルム２０ｂが通過するときのみ、ヘッドシフト機構６６により、フイルム通路３２に下降させられ、接触位置にされる。
【００４８】
図３に示すように、画像読取部４１は、ガイド突条６７と、照明開口６８と、フイルムマスク６９とを備えている。ガイド突条６７は、フイルム通路３２の画像読取位置で、フイルム幅方向に配置されており、円柱面状の湾曲ガイド面６７ａを有する。このガイド突条６７の頂部にはフイルム幅方向に長く、照明開口６８が形成されている。また、照明開口６８の上部でカバー３１側には、フイルムマスク６９が配置されている。フイルムマスク６９は、写真フイルム２０と、ラインＣＣＤスキャナ１１の光学系との距離を一定に保持するように写真フイルム２０を支持する。そして、前記湾曲ガイド面６７ａにより、写真フイルム２０は送り方向で湾曲されるため、フイルム幅方向での反りが無くなり、平面性が確保される。したがって、写真フイルム２０の画像読み取り精度が向上する。
【００４９】
図４，図５に示すように、画像読取部４１の照明開口６８の上方には、ＩＸ２４０フイルム用の可動マスク７０，７１が配置されている。可動マスク７０，７１は、ＩＸ２４０フイルム用にフイルムガイド４５が変更されたときに、これに連動して、照明開口６８のフイルム幅方向の両端部付近を覆う。これにより、照明開口６８の両端部からの不要な照明光がカットされる。
【００５０】
可動マスク７０，７１は、マスクブラケット７０ａ，７１ａを取付軸７０ｂ，７１ｂに固定して構成されており、ＩＸ２４０フイルム２０ｂのときには、可動マスク７０，７１が９０度回動して、マスクブラケット７０ａ，７１ａを照明開口６８の上方に位置させる。なお、可動マスク７０，７１は、回動変移タイプのものに代えて、フイルム幅方向でスライド移動するものを用いてもよい。この場合には、スライド移動量を変更することで、ＩＸ２４０フイルム２０ｂのみならず、他のフイルム種別に対応させて照明開口６８の開口幅を変更することができる。
【００５１】
フイルム貯留ガイド４３は、１３５フイルム２０ａを巻き取って収納可能な幅で形成されており、１３５フイルム２０ａの他にＩＸ２４０フイルム２０ｂも巻き取ることができる。
【００５２】
フイルムキャリア１８のカバー３１には、フイルム選択スイッチ７４（図１参照）が設けられている。このフイルム選択スイッチ７４のフイルム選択信号は、コントローラ５８に入力される。コントローラ５８は、このフイルム選択信号に基づきガイドシフト機構４８及び磁気ヘッドシフト機構６６を作動させる。これにより、１３５フイルム２０ａの場合には、図４に示すように、フイルムガイド４５及びフイルム搬送ローラ３５，４０，４２が１３５フイルム２０ａの幅に対応するように変更される。また、磁気ヘッド３７，３８はフイルム通路３２から退避した位置にされる。また、ＩＸ２４０フイルム２０ｂの場合には、図５に示すように、フイルムガイド４５とフイルム搬送ローラ３５，４０，４２との幅の変更、及び可動マスク７０，７１の挿入の他に、磁気ヘッド３７，３８がフイルム通路３２に挿入される。この挿入は、フイルム先端が磁気ヘッド３７，３８を通過した後に、行われる。
【００５３】
次に、本実施形態の作用を図９に示すフローチャートに基づき説明する。オペレータは写真フイルム２０の種別に応じて、フイルム選択スイッチ７４を操作する。これにより、フイルム種別信号がコントローラに送られる。コントローラは、このフイルム種別信号に基づき、ガイドシフト機構４８を作動させ、フイルムガイド４５をフイルム種別に合わせた幅にする。このフイルムガイド４５のガイド幅の変更により、可動ガイド４５ｂのシフトに連動して、フイルム搬送ローラ対３５，４０，４２の可動ローラ本体６０ｂ，６１ｂが軸方向に移動する。したがって、フイルムガイド４５と同じように、フイルム搬送ローラ対３５，４０，４２もフイルム種別に合わせた幅になる。
【００５４】
なお、写真フイルム２０ａ，２０ｂがフイルムキャリア１８内にセットされた状態では、フイルム選択スイッチ７４を操作してフイルム種別を変更しても、フイルムガイド幅の変更が行わないようにされている。フイルムキャリア１８内のフイルムの有無の検出は、専用のフイルムセンサを設けて、これの信号を用いる他に、パーフォレーションセンサ３９や、フイルム先端センサ３４の検出信号に基づきフイルムの有無の判定を行ってもよい。
【００５５】
この後、図１に示すように、フイルム挿入口３３にフイルム先端がセットされると、フイルム送りモータ５７が正転して、写真フイルム２０がフイルムキャリア１８内に引き込まれる。このフイルム送りでは、常時ニップ状態にされている第１フイルム搬送ローラ対３５と、ローラシフト機構６５によりニップ状態にされている第３フイルム搬送ローラ対４２により写真フイルム２０が送られる。そして、パーフォレーションセンサ３９が写真フイルム２０のパーフォレーションを検出すると、ラインＣＣＤスキャナ１１により、プレスキャンが行われる。プレスキャンでは、比較的ラフな読み取り精度で画像を読み取る。そして、このプレスキャンデータにより、後のファインスキャン時の画像読取条件を決定する。全コマ分のプレスキャンを終了すると、フイルム送りモータ５７が停止され、フイルム送りを終了する。
【００５６】
次に、フイルム送りモータ５７が逆転され、フイルム搬送ローラ対４０，３５により写真フイルム２０が戻される。このとき、第３フイルム搬送ローラ対４２はローラシフト機構６５によりニップ解除状態にされ、代わりに第２フイルム搬送ローラ対４０がローラシフト機構６４によりニップ状態にされる。そして、このフイルムの戻し送り時に、ファインスキャンにより写真フイルム２０の各コマの画像が読み取られる。全てのコマの画像読取が終了すると、フイルム送りモータ５７が一定時間回転を続行し、写真フイルム２０がフイルムキャリア１８から排出される。この後、次の写真フイルム２０の挿入待機状態になる。
【００５７】
なお、上記実施形態では、画像読取部４１のフイルム送り方向の前後に配置した第２及び第３フイルム搬送ローラ対４０，４２を選択的にニップ状態にさせたが、これに代えて、各フイルム搬送ローラ対４０，４２を常時ニップ状態にしてもよい。
【００５８】
また、上記実施形態では、ローラ幅が変更自在なフイルム搬送ローラ対３５，４０，４２を用いたが、この他に、図１０，１１に示すように、１３５フイルム用搬送ローラ対８０と、ＩＸ２４０フイルム用搬送ローラ対８１とを設け、これらをローラシフト機構８２，８３により、フイルム選択信号に基づき選択的にニップ状態にしてもよい。例えば、１３５フイルム２０ａが選択されたときには、１３５フイルム用ローラシフト機構８２により、対応する搬送ローラ対８０をニップ状態にし、他のローラシフト機構８３によりＩＸ２４０フイルム用搬送ローラ対８１をニップ解除状態にする。また、ＩＸ２４０フイルム２０ｂの場合にはこれと逆にし、ＩＸ２４０フイルム用搬送ローラ対８１をニップ状態にする。
【００５９】
上記実施形態では、フイルム幅方向で変移する可動ガイド４５ｂを用いて、フイルム幅を変更するようにしたが、この他に、図１２，図１３に示すように、１３５フイルム用フイルムガイド８５に可動ガイド８６を設けたものを用いてもよい。この場合には、フイルムガイド８５の一方の側縁ガイド８５ａからＩＸ２４０フイルムの幅分だけ離れた位置で、ＩＸ２４０フイルム用の可動ガイド８６を設ける。そして、この可動ガイド８６を図示しないシフト機構により、フイルム記録面に直交する方向で変移させ、ガイド位置又は退避位置に切り替える。ガイド位置では、図１２に示すように、フイルム通路から可動ガイド８６が突出した状態になり、ＩＸ２４０フイルム２０ｂが案内される。また、退避位置では、図１３に示すように、可動ガイド８６がフイルム通路から没した状態になり、フイルムガイド８５により１３５フイルム２０ａが案内される。
【００６０】
なお、１３５フイルム用のフイルムガイド８５を用いる他に、前記可動ガイド８６と同じような構成の１３５フイルム用の可動ガイドを出没自在に設けてもよい。この場合には、可動ガイドを、側縁ガイドから１３５フイルムの幅分だけ離れた位置に設ける。
【００６１】
また、出没自在な可動ガイド８６に代えて、図１４，図１５に示すように、偏心カム９０を用いた可動ガイド９１を用いてもよい。この場合には、偏心カム９０を回転させることで、取付軸９０ａからガイド面９０ｂまでの距離を変化させ、案内する写真フイルム２０の幅に対応させる。更には、図示は省略したが、ガイドローラをフイルム幅方向に変移自在に設けて、これを可動ガイドとしてもよい。
【００６２】
上記実施形態では、フイルム貯留ガイド４３を１３５フイルム２０ａとＩＸ２４０フイルム２０ｂとで共用したが、この他に、フイルムガイド４５と同じように、固定貯留ガイドと可動貯留ガイドとを設けて、フイルム種別に応じてガイド幅を変更してもよい。
【００６３】
上記実施形態では、フイルムストリップ状態で挿入される例を示したが、ＩＸ２４０フイルム２０ｂでは、フイルムストリップ状態の他に、カートリッジ形態でセットされる場合がある。図１６は、カートリッジ形態のＩＸ２４０フイルムにも対応可能にしたフイルムキャリア９４の概要を示す側面図である。この場合には、カートリッジ装填部９５をフイルム挿入口近くに設ける。そして、カートリッジセンサ９６により、カートリッジ装填部９５内のカートリッジ９７を検出する。
【００６４】
カートリッジ９７が装填されたときには、分岐ガイド９８により、カートリッジ９７内のＩＸ２４０フイルム２０ｂをフイルム通路３２に案内させる。カートリッジ装填部９５内には図示しないスプール回動軸が設けられており、これにより、カートリッジ９７内のスプールを回転させてフイルム２０ｂの先端をカートリッジ９７から排出させる。また、カートリッジ装填部９５には周知のシャッタ開閉機構が設けられており、この開閉機構はカートリッジ９７のフイルム出入り口に配置されたシャッタを開閉する。
【００６５】
また、フイルム貯留ガイド９９を、１３５フイルム用ガイド９９ａとＩＸ２４０用ガイド９９ｂとの２種類設け、これを分岐ガイド１００により振り分ける。なお、フイルム貯留ガイド９９は、図１に示す実施形態のように共用のフイルム貯留ガイド４３を用いてもよい。
【００６６】
上記実施形態では、１３５フイルム２０ａとＩＸ２４０フイルム２０ｂが共に搬送可能なフイルムキャリア１８，９４について説明したが、基本的には、複数種のフイルムが存在したときに対応可能なフイルムキャリアであり、１３５フイルム２０ａとＩＸ２４０フイルム２０ｂとに限定されるものではない。例えば、これらの他に１１０サイズ、ブローニサイズ等の各種フイルム幅に設定可能にしておくことで、これらのサイズのフイルムについても読み取ることができるようになる。
【００６７】
上記実施形態では、画像読取装置としてのラインＣＣＤ２９用のフイルムキャリア１８，９４として用いたが、この他に、エリアセンサ用のフイルムキャリア、更に、オートプリンタ用のフイルムキャリアとして用いてもよい。この場合には、画像読取部４１の代わりに、各コマを１コマ単位で照明するフイルムマスクを設け、焼付レンズにより各コマの画像を印画紙に結像させて焼付露光する。
【００６８】
上記実施形態では、フイルム選択スイッチ７４を設けて、オペレータの操作によりフイルム種別を指定するようにしたが、この他にフイルム挿入口３３にフイルム種別センサを設けて、フイルム種別を自動的に判別してもよい。例えば、１３５フイルムとＩＸ２４０フイルムと識別する場合には、ＩＸ２４０フイルムの挿入ではオンにならず、１３５フイルムの挿入ではオンになる位置にフイルム種別センサを設けることで、これらのフイルム種別を検出することができる。同様にして、他のフイルム種別も識別することができる。
【００６９】
上記実施形態では、図７，図８に示すように、フイルムガイド４５のガイド幅変更に連動させて、フイルム搬送ローラ対３５，４０，４２のローラ幅を変更したが、これは個別に変更してもよい。また、フイルム搬送ローラ対３５，４０，４２として、ガイド幅が変更可能なものに代えて、図示は省略したが、最大幅を有するフイルム用の搬送ローラ対を用いて、これを共用してもよい。また、フイルム搬送ローラ対３５，４０，４２の代わりに、搬送ベルトを用いてフイルムを搬送してもよい。この場合にも、搬送ベルトを複数本設け、一方を固定側搬送ベルトとし、他方を可動側搬送ベルトとするとよい。また、搬送ローラ対や搬送ローラベルト等のフイルム送り部材は、フイルム搬送路の長さに応じて適宜増減してよい。
【００７０】
上記実施形態では、兼用のごみ取りローラ対３６を用いたが、この他に、専用のごみ取りローラ対を用いてもよい。また、ＩＸ２４０フイルム２０ｂ用のごみ取りローラ対を設けて、このフイルム２０ｂが通過するときのみ、フイルム通路にセットしてもよい。
【００７１】
【発明の効果】
本発明によれば、写真フイルムの種類に応じて、ガイド幅が変更自在なフイルムガイドを設けたから、写真フイルムの種類毎に専用のフイルム通路を設けるものに比べて、１つのフイルム通路でよいので、フイルムキャリアを小型化することができる。また、フイルムガイドやフイルム搬送ローラ等を共用することができるので、構成が簡単になる他、軽量化を図ることができる。
【図面の簡単な説明】
【図１】本発明を実施したフイルムキャリアを示す概略構成図である。
【図２】同フイルムキャリアを有するデジタルラボシステムの概略構成図である。
【図３】ラインＣＣＤスキャナの光学系の概略構成図である。
【図４】１３５フイルムの搬送状態を示すフイルムキャリアの概略平面図である。
【図５】ＩＸ２４０フイルムの搬送状態を示すフイルムキャリアの概略平面図である。
【図６】ガイドシフト機構を示す概略正面図である。
【図７】１３５フイルムの搬送状態を示す第１搬送ローラ対の正面図である。
【図８】ＩＸ２４０フイルムの搬送状態を示す第１搬送ローラ対の正面図である。
【図９】フイルムキャリアの処理手順を示すフローチャートである。
【図１０】他の実施形態のフイルム搬送ローラ対の斜視図であり、１３５フイルムの搬送状態を示している。
【図１１】ＩＸ２４０フイルムの搬送状態を示すフイルム搬送ローラ対の斜視図である。
【図１２】他の実施形態におけるフイルムガイドを示す斜視図であり、ＩＸ２４０フイルムの搬送状態を示している。
【図１３】１３５フイルムの搬送状態を示すフイルムガイドの斜視図である。
【図１４】他の実施形態におけるフイルムガイドを示す斜視図であり、１３５フイルムの搬送状態を示している。
【図１５】ＩＸ２４０フイルムの搬送状態を示すフイルムガイドを示す斜視図である。
【図１６】ＩＸ２４０フイルムのカートリッジ形態での装填が可能な他の実施形態におけるフイルム搬送路の概略を示す側面図である。
【符号の説明】
１０  デジタルラボシステム
１１  ラインＣＣＤスキャナ
１８  フイルムキャリア
２０  写真フイルム
２０ａ  １３５フイルム
２０ｂ  ＩＸ２４０フイルム
３２  フイルム通路
３５，４０，４２  フイルム搬送ローラ対
３６  ゴミ取りローラ対
３７，３８  磁気ヘッド
４１  画像読取部
４３  フイルム貯留ガイド
４５  フイルムガイド
４５ａ  固定ガイド
４５ｂ  可動ガイド
４８  ガイドシフト機構
６０  駆動ローラ
６１  押さえローラ
６７  ガイド突条
６８  照明開口
７０，７１  可動マスク
【図１】
0003781335.tif 000002
【図２】
0003781335.tif 000003
【図３】
0003781335.tif 000004
【図４】
0003781335.tif 000005
【図５】
0003781335.tif 000006
【図６】
0003781335.tif 000007
【図７】
0003781335.tif 000008
【図８】
0003781335.tif 000009
【図９】
0003781335.tif 000010
【図１０】
0003781335.tif 000011
【図１１】
0003781335.tif 000012
【図１２】
0003781335.tif 000013
【図１３】
0003781335.tif 000014
【図１４】
0003781335.tif 000015
【図１５】
0003781335.tif 000016
【図１６】
0003781335.tif 000017